(57)【要約】【課題】循環配管を適切に洗浄できる風呂給湯システムを提供する。【解決手段】循環配管は、浴槽と接続された戻り路および往き路からなり、浴槽内の湯水を追焚するために用いられる。循環ポンプは、戻り路および往き路の間で湯水を循環させる。注湯配管は、給湯装置および循環配管の間に接続され、給湯装置からの湯水を循環配管の戻り路に供給することで、浴槽を湯張りするために用いられる。制御部は、循環配管に対し給湯装置から注湯配管を介して洗浄水を流し込むことで循環配管内を洗浄するように構成される。循環配管内の洗浄において、制御部は循環ポンプを駆動する。【選択図】図３
2018054137.tif 000002
【特許請求の範囲】
【請求項１】
浴槽と、
給湯装置と、
前記浴槽と接続された戻り路および往き路からなり、前記浴槽内の湯水を追焚するための循環配管と、
前記戻り路および前記往き路の間で湯水を循環させる循環ポンプと、
前記給湯装置および前記循環配管の間に接続され、前記給湯装置からの湯水を前記循環配管の前記戻り路に供給することで、前記浴槽を湯張りするための注湯配管と、
前記循環配管に対し前記給湯装置から前記注湯配管を介して洗浄水を流し込むことで前記循環配管内を洗浄するように構成された制御部とを備え、
前記循環配管内の洗浄時において、前記制御部は、前記循環ポンプを駆動する、風呂給湯システム。
【請求項２】
前記循環ポンプは、前記循環配管の前記戻り路と前記注湯配管との接続部または前記接続部よりも下流側に設けられ、
前記循環配管内の洗浄時において、前記制御部は、前記戻り路に流し込まれた前記洗浄水の一部を前記往き路に送ることが可能な回転速度で前記循環ポンプを駆動する、請求項１に記載の風呂給湯システム。
【請求項３】
前記浴槽の壁面には、前記循環配管に湯水を吸い込むために吸込口が設けられ、
前記制御部は、前記浴槽の水位が前記吸込口の下端の高さより低い状態であるときに、前記循環配管内を洗浄する、請求項１または２に記載の風呂給湯システム。
【発明の詳細な説明】
【技術分野】
【０００１】
この発明は、風呂給湯システムに関し、より特定的には、浴槽内の湯水を追焚するための循環配管内を洗浄する方法に関する。
【背景技術】
【０００２】
風呂給湯システムにおいて、追焚運転の使用後に、浴槽内の湯水を追焚するための循環配管内に浴槽から導入された湯水が残ると、残水から雑菌が繁殖する可能性がある。この循環配管内を洗浄する配管洗浄方法として、たとえば、特開２００１−４２０７号公報（特許文献１）および特開平６−１６９８５３号公報（特許文献２）には、浴槽内の湯水を排出させた後に、循環配管に対して給湯装置から洗浄用の湯水（以下、洗浄水）を流し込むことで、循環配管内の残水を排出させる方法が開示されている。
【先行技術文献】
【特許文献】
【０００３】
【特許文献１】特開２００１−４２０７号公報
【特許文献２】特開平６−１６９８５３号公報
【発明の概要】
【発明が解決しようとする課題】
【０００４】
循環配管は、通常、浴槽から追焚用熱交換器に湯水を戻すための戻り路と、追焚用熱交換器を通過した湯水を浴槽に導くための往き路とから構成されている。従来の配管洗浄方法では、特許文献１，２に示されるように、戻り路に対して洗浄水を流し込むことで、戻り路および往き路内の残水を排出させている。
【０００５】
しかしながら、循環配管において、往き路は、追焚用熱交換器を介して戻り路と繋がっている。そのため、循環配管内を洗浄水が流通するうえで、追焚用熱交換器自体が通水抵抗となり得るため、戻り路に比べて、往き路に洗浄水が流れにくくなる傾向がある。その結果、従来の配管洗浄方法では、往き路内の残水を排出させることが困難となり、循環配管内の洗浄が不十分となってしまうという問題があった。
【０００６】
この発明はこのような問題点を解決するためになされたものであって、この発明の目的は、循環配管を適切に洗浄できる風呂給湯システムを提供することである。
【課題を解決するための手段】
【０００７】
この発明のある局面に従えば、風呂給湯システムは、浴槽と、給湯装置と、循環配管と、循環ポンプと、注湯配管と、制御部とを備える。循環配管は、浴槽と接続された戻り路および往き路からなり、浴槽内の湯水を追焚するために用いられる。循環ポンプは、戻り路および往き路の間で湯水を循環させる。注湯配管は、給湯装置および循環配管の間に接続され、給湯装置からの湯水を循環配管の戻り路に供給することで、浴槽を湯張りするために用いられる。制御部は、循環配管に対し給湯装置から注湯配管を介して洗浄水を流し込むことで循環配管内を洗浄するように構成される。循環配管内の洗浄時において、制御部は、循環ポンプを駆動する。
【０００８】
上記風呂給湯システムによれば、循環配管の洗浄時において、給湯装置から注湯配管を介して循環配管に洗浄水を流し込むとともに、循環ポンプを駆動することにより、循環ポンプの駆動力を利用して、循環配管内において相対的に洗浄水が流れにくくなる往き路に対しても積極的に洗浄水を流し込むことができる。この結果、循環配管内の残水を排出させることができるため、循環配管内を適切に洗浄することができる。
【０００９】
好ましくは、循環ポンプは、循環配管の戻り路と注湯配管との合流部、または該合流部よりも下流側に設けられる。循環配管内の洗浄時において、制御部は、戻り路に流し込まれた洗浄水の一部を往き路に送ることが可能な回転速度で循環ポンプを駆動する。
【００１０】
このようにすると、循環配管の戻り路に流し込まれた洗浄水は、その一部が循環ポンプの駆動力を利用して往き路に流し込まれるとともに、残りの部分が戻り路に流し込まれる。すなわち、往き路および戻り路の両方に対して洗浄水が流し込まれることで、往き路および戻り路の各々の残水を排出させることができる。よって、循環配管を適切に洗浄することができる。
【００１１】
好ましくは、浴槽の壁面には、循環配管に湯水を吸い込むために吸込口が設けられる。制御部は、浴槽の水位が吸込口の下端の高さより低い状態であるときに、循環配管を洗浄する。
【００１２】
このように構成すれば、循環配管の洗浄時に循環ポンプを駆動することで、循環配管内から浴槽に排出された残水が吸込口を通じて再び循環配管内に入り込むことを防ぐことができる。
【発明の効果】
【００１３】
この発明によれば、循環配管を適切に洗浄できる風呂給湯システムを提供することができる。
【図面の簡単な説明】
【００１４】
【図１】本発明の実施の形態１に係る風呂給湯システムの概略ブロック図である。
【図２】図１に示したコントローラの概略構成図である。
【図３】図１の風呂給湯システムにおける循環配管洗浄時の制御処理を示したフローチャートである。
【発明を実施するための形態】
【００１５】
以下この発明の各実施の形態について図面を参照して詳細に説明する。なお各図中同一符号は同一または相当部分を示す。
【００１６】
図１は、本発明の実施の形態に係る風呂給湯システム１の概略ブロック図である。
図１を参照して、風呂給湯システム１は大きく分けて、給湯部、湯張り部、追焚部、制御部の４つの部からなる。給湯部、湯張り部、追焚部の一部、制御部の一部は筐体１ａ内に収容される。風呂給湯システム１において、湯張り時には、給湯部、湯張り部、追焚部の順に湯水が流れることにより、浴槽８へ湯水が供給される。制御部は他の３つの部を制御する。以下に各部について、詳細に説明する。
【００１７】
給湯部は、浴槽８に供給する湯水を生成するように構成される。給湯部は、給湯用熱交換器３２ａおよび燃焼バーナ３８等が格納された燃焼缶体（以下、単に「缶体」とも称する）３０、送風ファン３１、入水管５０、分配弁８０、給湯用熱交換器３２ａ、バイパス管６０、および出湯管７０、および給湯管７２を含む。
【００１８】
給湯部において、水道水等の低温水（非加熱水）は入水管５０に導入されたのち、給湯用熱交換器３２ａまたはバイパス管６０、出湯管７０、給湯管７２の順に流れ、給湯栓１９０から出力される、もしくは、湯張り部の注湯配管２０に出力される。以下に、給湯部の各構成要素について、より詳細に説明する。
【００１９】
入水管５０ａには水道水等の低温水（非加熱水）が給水される。入水管５０ａおよび出湯管７０の間には、缶体３０をバイパスして、入水管５０ａからの非加熱水を通流するためのバイパス管６０が配置される。入水管５０ａおよびバイパス管６０の間には、バイパス管６０の流量を制御するための分配弁８０が接続される。
【００２０】
分配弁８０は、その開度に応じて、入水管５０ａからの水を、給湯用熱交換器３２ａに繋がる入水管５０ｂに送るとともに、バイパス管６０に分流する。すなわち、全体給水量に対する上記分流の割合は、分配弁８０の開度に応じて制御される。
【００２１】
入水管５０ｂには、温度センサ１１０および流量センサ１５０が配置される。温度センサ１１０は、低温水の温度（以下、入水温度）を検出する。流量センサ１５０は、分配弁８０よりも下流側（給湯用熱交換器３２ａ側）に配置されている。流量センサ１５０によって検出される流量は、給湯用熱交換器３２ａを通過する流量（以下、給湯流量）を示している。流量センサ１５０および後述する注湯流量センサ１３１は、代表的には、羽根車式流量センサによって構成される。
【００２２】
出湯管７０は、給湯用熱交換器３２ａに接続され、給湯用熱交換器３２ａからの湯を供給されるとともに、合流点７５においてバイパス管６０と接続される。したがって、給湯用熱交換器３２ａによって加熱された出湯管７０からの高温水（加熱水）と、バイパス管６０からの低温水（非加熱水）とが合流点７５で混合されて、給湯管７２から出力される。これにより、給湯管７２から台所や浴室等の給湯栓１９０に、適温の湯が供給される。もしくは、給湯管７２から、湯張り部の注湯配管２０および追焚部の循環配管１０を介して浴槽８へ適温の湯が供給される。
【００２３】
出湯管７０には温度センサ１２０が設けられる。温度センサ１２０は、出湯管７０とバイパス管６０との合流点７５よりも上流側（給湯用熱交換器３２ａ側）に配置されて、給湯用熱交換器３２ａからの高温水の温度（以下、出湯温度）を検出する。
【００２４】
給湯管７２には、流量調整弁９０および温度センサ１３０が設けられる。流量調整弁９０は、缶体３０での加熱能力の不足により、設定湯温に従って給湯することが困難な場合に、給湯流量を絞るように制御される。たとえば、燃焼開始直後、あるいは、燃焼開始直後以外でも最大号数で運転する場合や最大許容流量で運転する場合等に、給湯流量を制限するように、コントローラ１００が流量調整弁９０の開度を制限することができる。
【００２５】
温度センサ１３０は、合流点７５より下流側（給湯栓１９０および注湯配管２０側）に設けられて、高温水および低温水が混合された後の給湯温度を検出する。
【００２６】
缶体３０において、燃焼バーナ３８から出力された燃料ガスは、送風ファン３１からの燃焼用空気と混合される。図示しない点火装置によって混合気が着火されることにより、燃料ガスが燃焼されて火炎が生じる。燃焼バーナ３８からの火炎によって生じる燃焼熱は、給湯用熱交換器３２ａおよび追焚用熱交換器３２ｂへ与えられる。
【００２７】
給湯用熱交換器３２ａは、入水管５０ｂからの低温水を熱交換によって加熱する。
送風ファン３１による送風量は、燃焼バーナ３８からの供給燃料との空燃比が所定値（たとえば理論空燃比）となるように制御される。送風ファン３１の回転速度は、供給熱量の変化に応じて設定される目標回転速度に従って制御される。
【００２８】
制御部は、コントローラ１００を含む。コントローラ１００は、後述するように、各センサからの出力信号（検出値）およびユーザ操作を受けて、風呂給湯システム１の全体動作を制御するために、各機器への制御信号を発生する。ユーザ操作には、風呂給湯システム１の運転オン／オフ指令および設定湯温指令が含まれる。制御信号には、各弁の開閉および開度指令、送風ファン３１への電気的入力指令等が含まれる。
【００２９】
コントローラ１００は、風呂給湯システム１の運転指令がオンされると、流量センサ１５０によって検出される入水管５０ｂを流れる水の流量が最低作動流量を超えたことに応じて、缶体３０での燃焼動作をオンする。燃焼動作がオンされると、缶体３０で元ガス電磁弁（図示せず）が開放されて、燃焼バーナ３８への燃料ガスの供給が開始される。
【００３０】
コントローラ１００は、燃焼オン時には、給湯温度が設定湯温に制御されるように、分配弁８０の開度および、缶体３０での発生熱量を制御する。
【００３１】
次に、湯張り部を説明する。湯張り部は、給湯部からの湯水を追焚部の一部を経由して浴槽８に供給し、湯張りするように構成される。湯張り部は、注湯配管２０からなる。
【００３２】
注湯配管２０の一方端は、流量調整弁９０と接続され、他方端は、循環配管１０に接続される。より特定的には、注湯配管２０は、循環配管１０の戻り路１０ａに接続される。注湯配管２０は、給湯部で生成された湯水を、循環配管１０を介して浴槽８に流入させるための注湯路に相当する。
【００３３】
注湯配管２０には、注湯流量センサ１３１および注湯電磁弁１３２が設けられる。注湯流量センサ１３１は、出湯管７０から注湯電磁弁１３２を介した注湯配管２０への送出量（以下、注湯流量）を計測する。
【００３４】
注湯電磁弁１３２は、後述するコントローラ１００の開閉切替制御によって、注湯の実行および停止を切替えるように動作する。
【００３５】
なお、注湯電磁弁１３２には、逆止弁１３３が設けられている。逆止弁は、注湯配管２０に送出された湯が流量調整弁９０側に逆流することを防止する。
【００３６】
コントローラ１００は、浴槽８への湯張り時には、注湯電磁弁１３２を開放する。これにより、給湯管７２から注湯電磁弁１３２を通じて注湯路に湯水が供給される。注湯路に供給された湯水が、循環配管１０の戻り路１０ａと往き路１０ｂを経由して浴槽８に注湯されることで、浴槽８内に湯張りすることができる。このとき、コントローラ１００は、循環配管１０に設けられた水位センサ３７の出力に基づき、浴槽８の水位を検出することができる。
【００３７】
次に、追焚部について説明する。追焚部は、浴槽内の湯水（以下、浴槽水）を循環させながら追焚するように構成される。また、追焚部の一部は、上述のように湯張り時に給湯部から注湯部を介して送られる湯水を、浴槽８に導入するためにも利用される。追焚部は、循環配管１０、追焚用熱交換器３２ｂ、循環ポンプ３３、および循環アダプタ８１を含む。
【００３８】
循環アダプタ８１は、浴槽８の壁面に設置される。循環アダプタ８１は、浴槽８から湯水を吸い込むための吸込口８５と、浴槽８に湯水を吐出するための吐出口８６とを有する。
【００３９】
循環配管１０は、図中の矢印”戻り”で示す、浴槽８から追焚用熱交換器３２ｂに湯水を戻す戻り路１０ａ、および、図中の矢印“往き”で示す、追焚用熱交換器３２ｂから浴槽８に湯水を導入する往き路１０ｂからなる。戻り路１０ａの浴槽８側は、循環アダプタ８１の吸込口８５に接続される。また、往き路１０ｂの浴槽８側は、循環アダプタ８１の吐出口８６に接続される。循環配管１０には循環ポンプ３３、水流スイッチ３４、温度センサ３５，３６、および水位センサ３７が設けられている。
【００４０】
循環ポンプ３３は、循環配管１０に備えられ、浴槽８と追焚用熱交換器３２ｂの間で浴槽水を循環させる。図１の例では、循環ポンプ３３は、注湯配管２０と戻り路１０ａとの接続部１５に設けられている。循環ポンプ３３は、接続部１５よりも下流側に設けられていてもよい。
【００４１】
追焚時に、循環ポンプ３３が作動すると、浴槽８からの浴槽水は、吸込口８５、戻り路１０ａ、追焚用熱交換器３２ｂ、往き路１０ｂ、吐出口８６の順に流通する。これにより、浴槽８と追焚用熱交換器３２ｂとの間に浴槽水を循環させる循環経路が形成される。
【００４２】
水流スイッチ３４は、戻り路１０ａの水流を検知する。温度センサ３５は、戻り路１０ａに戻される浴槽水の温度を検出する。
【００４３】
温度センサ３６は、往き路１０ｂにおける浴槽への湯水の温度を検出する。
水位センサ３７は浴槽８内の水位を検出する。水位センサ３７は、圧力式の水位センサである。なお、図１では水位センサ３７は戻り路１０ａに備えられているが、これはあくまで例示であり、浴槽内の水位が検知される他の部位（たとえば、往き路１０ｂもしくは注湯配管２０）に設けられていてもよい。
【００４４】
追焚用熱交換器３２ｂは、缶体３０に格納されている。追焚用熱交換器３２ｂは、給湯用熱交換器３２ａと同様に燃焼バーナ３８により加熱され、循環配管１０の戻り路１０ａからの湯水を加熱し、循環配管１０の往き路１０ｂに出湯する。
【００４５】
図２は図１に示したコントローラ１００の概略構成図である。コントローラ１００は、上述した給湯部、湯張り部および追焚部を制御する制御部に相当する。コントローラ１００は、ＣＰＵ（Central  Processing  Unit）１０１、記憶部１０２、インターフェイス１０３、操作部１０４および出力部１０５を含む。
【００４６】
ＣＰＵ１０１は、インターフェイス１０３および操作部１０４からの入力を受け、記憶部１０２のプログラムおよびデータを利用し、インターフェイス１０３に制御信号の送出を指令する、または、出力部１０５にユーザへのメッセージの提示を指令する。
【００４７】
記憶部１０２は、プログラムおよびデータを格納するための揮発性または不揮発性のメモリを含む。記憶部１０２は、各種制御処理プログラム等を格納する。
【００４８】
インターフェイス１０３は、風呂給湯システム１内の各種の弁の開閉、循環ポンプ３３の駆動のための制御信号を送出するとともに、各種センサからの検出信号を入力する。
【００４９】
操作部１０４は、風呂給湯システム１の運転開始／停止切替え、運転モード切替え、温度・湯量切替え等の各種指示に関するユーザ操作を受付ける。操作部１０４は、上記指示のために実際にユーザが操作するスイッチ等を含む。
【００５０】
出力部１０５は、風呂給湯システム１の運転に関する情報を報知する。出力部１０５は、運転に係る各種出力（温度、湯量等）および各種メッセージを表示する。
【００５１】
次に風呂給湯システム１の動作について説明する。
風呂給湯システム１の主要な運転モードには、浴槽８の使用に関する「湯張りモード」と「追焚モード」、および、配管洗浄に関する「配管洗浄モード」がある。この各種運転モードの運転／停止／切替は、コントローラ１００により行われる。なお、後述するように、この各種モードへの運転／停止／切替は、操作部１０４からのユーザ操作に従って行ってもよいし、予め定められた条件を満たすときに自動で行われるように設定してもよい。
【００５２】
湯張りモードは、浴槽８に湯水を供給するために実行される。湯張りモードは、通常は、操作部１０４に設けられた湯張りモードを開始するためのスイッチをユーザがオン操作することで開始される。湯張りモードが開始すると、ＣＰＵ１０１は、缶体３０で燃焼バーナ３８を所定の燃焼状態に制御する。燃焼バーナ３８の燃焼熱を受けて、給湯用熱交換器３２ａを通る低温水が熱交換により加熱され、所定温度まで加熱・温調された湯が出湯管７０に供給される。
【００５３】
ＣＰＵ１０１は、分配弁８０の開度を制御することで、出湯管７０からの高温水にバイパス管６０からの低温水を適宜混合して、所定温度・流量の湯を給湯管７２に出力する。ＣＰＵ１０１は、さらに、注湯電磁弁１３２を開放することにより、給湯管７２から注湯配管２０に湯水を供給する。注湯配管２０に供給された湯水は、注湯配管２０および戻り路１０ａの接続部１５において、戻り路１０ａに送出される。戻り路１０ａを経由して浴槽８に注湯されることで、浴槽８内に湯張りすることができる。
【００５４】
湯張りモードにおける湯張り量が、水位センサ３７または注湯流量センサ１３１により検出される注湯流量の積分等によって把握・特定されることにより、浴槽８内には所定水位まで湯張りされることとなる。
【００５５】
追焚モードは、浴槽８の湯水（浴槽水）の温度を適温まで上昇するために実行される。追焚モードは、操作部１０４に設けられた追焚モードを開始するスイッチをユーザがオン操作することで開始してもよいし、浴槽８の水温が低下したときに自動で開始するように設定してもよい。
【００５６】
追焚モードが開始すると、ＣＰＵ１０１は、循環ポンプ３３を予め定めた回転速度で回転駆動し、浴槽水を吸込口８５、循環配管１０の戻り路１０ａ、追焚用熱交換器３２ｂ、往き路１０ｂ、吐出口８６の順に循環させる。同時に、ＣＰＵ１０１は、缶体３０で燃焼バーナ３８を所定の燃焼状態に制御する。燃焼バーナ３８の燃焼熱を受けて、追焚用熱交換器３２ｂを通る浴槽水が所定温度まで加熱・温調される。これにより、循環配管１０を循環する浴槽水が、入浴に適した温度に達するまで加熱される。
【００５７】
次に、配管洗浄モードについて説明する。追焚モードを実行することによって、循環配管１０内には、入浴による浴槽水の汚れや水垢を含むことになった浴槽８内の湯水（汚水）が入り込んで滞留することになる。そこで、配管洗浄モードでは、浴槽使用後に、注湯配管２０から循環配管１０に対して清浄な湯または水である洗浄水を流し込むことで、循環配管１０内に滞留している残水を浴槽８内に押し出して排出する。これにより雑菌繁殖の抑制および防止を図る。
【００５８】
配管洗浄モードでは、ＣＰＵ１０１は、浴槽８内の排水がなされたことを検出すると、自動的に循環配管１０内の洗浄を開始する。ＣＰＵ１０１は、湯張りモードと同様にして、給湯管７２から注湯配管２０に対して、循環配管１０の洗浄に適した温度・流量の洗浄水を供給する。
【００５９】
注湯配管２０に供給された洗浄水は、注湯配管２０および戻り路１０ａの接続部１５において戻り路１０ａに導入される。戻り路１０ａに導入された洗浄水が、実線矢印で図示された経路２００、および、破線矢印で図示された経路２０１を流れることにより、戻り路１０ａおよび往き路１０ｂ内の残水が浴槽８内に押し出される。
【００６０】
具体的には、経路２００は、洗浄水が、接続部１５から戻り路１０ａの一部分、追焚用熱交換器３２ｂ、および往き路１０ｂを順に通って、循環アダプタ８１の吐出口８６から浴槽８内に排出される経路である。経路２０１は、洗浄水が、接続部１５から戻り路１０ａの残りの部分を通って、循環アダプタ８１の吸込口８５から浴槽８内に排出される経路である。
【００６１】
ここで、特許文献１，２に示されるように、従来の配管洗浄方法では、注湯配管２０から循環配管１０の戻り路１０ａへ洗浄水が導入された後、循環配管１０内における洗浄水の流通については自然の成り行きとしていた。そのため、循環配管１０の戻り路１０ａに導入された洗浄水は、その大部分が、経路２００，２０１のうち通水抵抗が相対的に低い経路を流れることになり、結果的に通水抵抗が相対的に高い経路にはわずかな洗浄水しか流れないという不具合が生じていた。
【００６２】
ここで、経路２００，２０１における通水抵抗の差は、各経路を形成する配管の長さや方向、位置などの様々な要因により生じると考えられる。図１の例では、経路２００は、経路２０１に比べて配管の長さが相対的に長くなっている。また、経路２００は、追焚用熱交換器３２ｂを含んでいる。そのため、経路２００は、経路２０１に比べて、通水抵抗が高くなり、洗浄水が流れにくい構造となっている。
【００６３】
特に、経路２００において、往き路１０ｂは、追焚用熱交換器３２ｂを介して戻り路１０ａと繋がっている。そのため、循環配管１０内を洗浄水が流通するうえで、追焚用熱交換器３２ｂ自体が通水抵抗となり得る。これにより、往き路１０ｂは、戻り路１０ａに比べて洗浄水が流れにくくなり、結果的に往き路１０ｂの洗浄が不十分となってしまう可能性がある。
【００６４】
このような問題を解決するために、本実施の形態に従う風呂給湯システム１では、下記のように循環配管１０の洗浄を制御する。
【００６５】
図３は循環配管洗浄時の制御処理を示したフローチャートである。図３のフローチャートで示した制御処理のプログラムは、記憶部１０２（図２参照）の記憶領域に格納される。ＣＰＵ１０１が、プログラムを記憶部１０２から読出して所定周期で繰り返し実行することにより、図３に示される処理が実現される。
【００６６】
まず、ＣＰＵ１０１は、ステップＳ０１において、配管洗浄モードがオンに設定されているか否かを判定する。配管洗浄モードがオフに設定されていれば（ステップＳ０１にてＮＯ）、ＣＰＵ１０１は配管洗浄を行わず、処理を終了する。
【００６７】
一方、配管洗浄モードがオンに設定されていれば（ステップＳ０１にてＹＥＳ）、ＣＰＵ１０１は、ステップＳ０２に進み、水位センサ３７の出力信号に基づいて、浴槽８の水位を検出する。
【００６８】
ステップＳ０３では、ＣＰＵ１０１は、浴槽８の水位が、循環アダプタ８１の吸込口８５の下端の高さＨ１（図１に図示）よりも低い状態であるか否かを判定する。入浴が終了して、浴槽８の排水栓を開いて排水すると、浴槽８の水位が低下し、最終的に吸込口８５の下端の高さＨ１未満となる。ステップＳ０３では、ＣＰＵ１０１は、実質的に、水位センサ３７の検出値に基づいて、浴槽８の水位が吸込口８５の下端の高さＨ１を下回ったことを検出する。
【００６９】
なお、ステップＳ０３では、好ましくは、浴槽８の水位が高さＨ１よりも低い状態が期間Ｔ１以上継続しているか否かを判定する。期間Ｔ１は、たとえば３０秒程度に設定される。期間Ｔ１を設ける理由は、浴槽８内での水面の揺れや循環配管１０内のエア噛みによる誤判定を防止するためである。言い換えれば、期間Ｔ１を設けることで、浴槽８の水位が吸込口８５の下端の高さＨ１よりも確実に低い状態であることを検出することができる。
【００７０】
ステップＳ０３において浴槽８の水位が吸込口８５の下端の高さＨ１以上である場合（ステップＳ０３にてＮＯ）、ＣＰＵ１０１は処理を終了する。一方、浴槽８の水位が吸込口８５の下端の高さＨ１未満である場合（ステップＳ０３にてＹＥＳ）、ＣＰＵ１０１は、ステップＳ０４に進み、循環配管１０内の洗浄を実行する。
【００７１】
まず、ステップＳ０４にて、ＣＰＵ１０１は、注湯配管２０から循環配管１０に対して洗浄水の注湯を開始する。具体的には、ＣＰＵ１０１は、給湯部において、入水管５０により低温水を缶体３０まで導くとともに、缶体３０において燃焼バーナ３８を所定の燃焼状態に制御する。燃焼バーナ３８の燃焼熱を受けて、給湯用熱交換器３２ａを通る低温水が熱交換により加熱されて出湯管７０に供給される。
【００７２】
ＣＰＵ１０１は、また、分配弁８０の開度を制御することで、出湯管７０からの高温水にバイパス管６０からの低温水を適宜混合して、所定温度・流量の洗浄水を給湯管７２に出力する。
【００７３】
ＣＰＵ１０１は、さらに、注湯電磁弁１３２を開放することで、給湯管７２から注湯配管２０に対して洗浄水を供給する。注湯配管２０に供給された洗浄水は接続部１５において戻り路１０ａに導入される。
【００７４】
次にステップＳ０５により、ＣＰＵ１０１は、循環ポンプ３３を駆動する。
上記追焚モードで説明したように、循環ポンプ３３は、戻り路１０ａと往き路１０ｂとの間で湯水を循環させるように構成されている。したがって、ステップＳ０４で戻り路１０ａに洗浄水が導入された状態で循環ポンプ３３を駆動することにより、洗浄水は接続部１５から経路２００側に導かれることになる。
【００７５】
このように循環ポンプ３３の駆動力を利用することで、洗浄水が流れる経路２００，２０１のうち、相対的に通水抵抗が高い経路２００に対しても洗浄水を積極的に流し込むことができる。これにより、経路２００上で追焚用熱交換器３２ｂよりも下流側にある往き路１０ｂに対しても洗浄水が供給されるため、往き路１０ｂ内の残水を浴槽８内に排出することが可能となる。この結果、循環配管１０内を適切に洗浄することができる。
【００７６】
ステップＳ０５では、ＣＰＵ１０１は、循環ポンプ３３の回転速度を、予め定められた目標回転速度に従って制御する。具体的には、ＣＰＵ１０１は、注湯流量センサ１３１により計測される注湯流量に応じて目標回転速度を設定すると、目標回転速度に従って循環ポンプ３３の回転速度を制御する。
【００７７】
ここで、ステップＳ０５における目標回転速度は、注湯配管２０から戻り路１０ａに流し込まれた洗浄水の一部を往き路１０ｂに送ることが可能な回転速度に設定される。目標回転速度は、注湯配管２０から戻り路１０ａへ向けて出力される洗浄水の流量（注湯流量）に応じて設定することができる。目標回転速度は、好ましくは、追焚モードで設定される循環ポンプ３３の目標回転速度に比べて、十分に低い回転速度に設定される。
【００７８】
このようにすると、戻り路１０ａに流し込まれた洗浄水の一部が循環ポンプ３３の駆動力を利用して、経路２００、すなわち、戻り路１０ａの一部分および往き路１０ｂに送られるとともに、洗浄水の残りが経路２０１、すなわち、戻り路１０ａの残りの部分に送られる。この結果、往き路１０ｂおよび戻り路１０ａの両方に対して洗浄水が流し込まれるため、循環配管１０内の残水を排出することができる。
【００７９】
言い換えれば、ステップＳ０５による循環ポンプ３３の回転速度の制御によれば、注湯配管２０から戻り路１０ａへの注湯流量における、経路２００への注湯流量と経路２０１への注湯流量との比率を調整することができる。したがって、経路２００，２０１の各々の通水抵抗（各経路を構成する配管の長さ、方向および位置等）を考慮して、適当な比率となるように循環ポンプ３３の回転速度を調整することができる。
【００８０】
ステップＳ０６では、ＣＰＵ１０１は、注湯配管２０から注湯される洗浄水の注湯量が所定量Ｘに達したか否かを判定する。所定量Ｘは、循環配管１０内の残水を洗浄水と置換することができるように、残水の量に応じて実験または試験により予め設定されている。ＣＰＵ１０１は、注湯流量センサ１３１により検出される注湯流量を積分等することで、洗浄水の注湯量を把握することができる。洗浄水の注湯量が所定量Ｘに達していないと判定された場合（ステップＳ０６にてＮＯ）、ＣＰＵ１０１はステップＳ０６に戻り、洗浄水の注湯を継続する。
【００８１】
一方、洗浄水の注湯量が所定量Ｘに達したと判定されると（ステップＳ０６にてＹＥＳ）、ＣＰＵ１０１は、ステップＳ０７に進み、循環配管１０への洗浄水の注湯を停止する。具体的には、ＣＰＵ１０１は、缶体３０における燃焼バーナ３８の燃焼を停止し、各種の弁（分配弁８０、流量調整弁９０、および注湯電磁弁１３２）を適宜閉制御することで、注湯配管２０への洗浄水の供給を停止する。
【００８２】
ステップＳ０８では、ＣＰＵ１０１は、循環ポンプ３３の運転を停止するよう指令し、配管洗浄を終了する。
【００８３】
なお、図３のフローチャートでは、ステップＳ０４において、給湯部から循環配管１０に対して洗浄水として湯を流し込む構成について説明したが、給湯部から循環配管１０に対して洗浄水として水を流し込む構成としてもよい。たとえば、外気温センサ（図示せず）によって検出される外気温に応じて、洗浄水の温度を変更するようにしてもよい。
【００８４】
以上のように、本実施の形態に従う風呂給湯システムによれば、浴槽内の湯水を追焚するための戻り路および往き路からなる循環配管に対して洗浄水を流し込む際に、循環ポンプを駆動することで、相対的に洗浄水が流れにくい往き路に対しても洗浄水を流し込むことができる。これにより、戻り路および往き路の各々の残水を排出させることができるため、循環配管内を適切に洗浄することができる。
【００８５】
また、循環配管の戻り路と注湯配管との接続部、または当該接続部よりも下流側に循環ポンプを設置し、かつ、戻り路に流し込まれた洗浄水の一部が往き路に流れ込むように、循環ポンプの回転速度を制御することで、戻り路および往き路の両方に洗浄水が流し込まれるため、戻り路および往き路の各々の残水を排出させることができる。
【００８６】
さらに、浴槽の水位が浴槽の壁面に設置された循環アダプタの吸込口の下端の高さよりも低い状態であるときに、循環配管内を洗浄する構成とすることにより、循環ポンプを駆動することで浴槽内に排出された残水が再び循環配管内に入り込むことを防止することができる。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８８】
８  浴槽、１０  循環配管、１０ａ  戻り路、１０ｂ  往き路、１５  接続部、２０  注湯配管、３０  缶体、３１  送風ファン、３２ａ  給湯用熱交換器、３２ｂ  追焚用熱交換器、３３  循環ポンプ、３４  水流スイッチ、３５，３６，１１０，１２０，１３０  温度センサ、３７  水位センサ、３８  燃焼バーナ、５０，５０ａ，５０ｂ  入水管、６０  バイパス管、７０  出湯管、７２  給湯管、７５  合流点、８０  分配弁、８１  循環アダプタ、８５  吸込口、８６  吐出口、９０  流量調整弁、１００  コントローラ、１０２  記憶部、１０３  インターフェイス、１０４  操作部、１０５  出力部、１３１  注湯流量センサ、１３２  注湯電磁弁、１３３  逆止弁、１５０  流量センサ、１９０  給湯栓、２００，２０１  経路、Ｈ１  高さ、Ｓ０１，Ｓ０２，Ｓ０３，Ｓ０４，Ｓ０５，Ｓ０６，Ｓ０７，Ｓ０８  ステップ、Ｔ１  期間、Ｘ  所定量。
【図１】
2018054137.tif 000003
【図２】
2018054137.tif 000004
【図３】
2018054137.tif 000005